【事件の表示】
　特許第３１７１３５６号「床構造」の請求項１に係る特許に対する特許異議の申立てについて、次のとおり決定する。
【結　論】
　訂正を認める。
　特許第３１７１３５６号の請求項１に係る特許を維持する。
【理　由】
１．手続の経緯
　特許第３１７１３５６号の請求項１に係る発明（平成５年５月１１日出願、平成１３年３月２３日特許権の設定登録）は、その特許について、異議申立人谷口千俊より特許異議の申立てがなされ、取消しの理由が通知され、その指定期間内である平成１４年６月２４日に訂正請求がされたものである。
　
２．訂正の適否についての判断
(1)訂正の内容
ａ．特許請求の範囲の請求項１を、次のとおり訂正する。
　「コンクリートスラブ等の床基盤上から所定の間隔を設けて床材を施工することにより床下空間が形成され、壁際で床材の端部は際根太で支持され、壁際の床上に巾木が設けられた床構造において、
　床材と壁から離間された際根太との
間及
　巾木に壁面と床材との間に形成された空隙と床上空間とを連通させる第１空気連通路を設け、
　上記空隙と床下空間との間にも第２空気連通路を設け
、
この第２空気連通路は壁面と際根太との間に介在された防振材の表裏を貫通する多数の貫通孔で形成されている
ｂ．明細書１頁１９行「図１８」を「図１７」と訂正する。
ｃ．同２頁８行「又は／」を削除する。
ｄ．同２頁１０行「設けた」を「設け、この第２空気連通路は壁面と際根太との間に介在された防振材の表裏を貫通する多数の貫通孔で形成された」と訂正する。
ｅ．同３頁７行「…（図６参照）。」の次に「また、防振材６にも図１と同様の第２空気連通路７が設けてある。」を挿入する。
ｆ．同３頁１０行「図２」を「図１及び図２」と訂正する。
ｇ．同３頁１７行「における」を「における防振材５に形成される」と訂正する。
ｈ．同３頁２１行「防振材６に」を「防振材６の表裏に貫通する丸孔の」と訂正する。
ｉ．同３頁２４行ないし２６行「【００１４】図９に示す防振材６は、第２空気連通路７を防振材５の個所に形成した場合の防振材６を示すものである。」を削除する。
ｊ．同３頁２７行「【００１５】を「【００１４】」と訂正する。
ｋ．同３頁２８行「図１０乃至図１２」を「図９乃至図１１」と訂正する。
１．同４頁７行「【００１６】」を「【００１５】」と訂正する。
ｍ．同４頁８行「図１３乃至図１５」を「図１２乃至図１４」と訂正する。
ｎ．同４頁１２行「【００１７】」を「【００１６】」と訂正する。
ｏ．同４頁１３行「図１６」を「図１５」と訂正する。
ｐ．同４頁１４行「この実施例では、防振材５，６を両方使用する。」を削除する。
ｑ．同４頁１５行「【００１８】」を「【００１７】」と訂正する。
ｒ．同４頁１６行「図１７」を「図１６」と訂正する。
ｓ．同４頁１７行「図１８」を「図１７」と訂正する。
ｔ．同４頁２２行「【００１９】」を「【００１８】」と訂正する。
ｕ．同４頁２７行「【００２０】」を「【００１９】」と訂正する。
ｖ．同５頁１行「又は／」を削除する。
ｗ．同５頁３行「設けた」を「設け、この第２空気連通路は壁面と際根太との間に介在された防振材の表裏を貫通する多数の貫通孔で形成されている」と訂正する。
ｘ．同５頁下から６行ないし５行「【図９】貫通孔を形成していない防振材を示す斜視図。」を削除する。
ｙ．同５頁下から４行及び２行、６頁１行、３行、５行、７行、９行、１１行、１３行の「【図１０】」、「【図１１】」、「【図１２】」、「【図１３】」、「【図１４】」、「【図１５】」、「【図１６】」、「【図１７】」、「【図１８】」を夫々図番を１つずつ繰り上げて、「【図９】」、「【図１０】」、「【図１１】」、「【図１２】」、「【図１３】」、「【図１４】」、「【図１５】」、「【図１６】」、「【図１７】」に訂正する。
ｚ．同５頁最下行の「図１０」を「図９」と訂正する。
ａ′．同６頁２行の「図１０」を「図９」と訂正する。
ｂ′．「図９」を削除する。
ｃ′．「図１０」ないし「図１８」を、それぞれ「図９」ないし「図１７」と訂正する。
　
(2)訂正の目的の適否、新規事項の有無及び拡張・変更の存否　
　上記訂正事項ａは、「上記空隙と床下空間との間にも第２空気連通路を設け」をより下位概念である「この第２空気連通路は壁面と際根太との間に介在された防振材の表裏を貫通する多数の貫通孔で形成されている」に限定しようとするものであり、特許明細書２頁下から５行ないし２行、３頁下から９行ないし７行及び図７、図８に記載されていたものである。また、「床材と壁から離間された際根太との間又は／及び壁面と際根太との間に防振材を介在させ」をより下位概念である「床材と壁から離間された際根太との間及び壁面と際根太との間に防振材を介在させ」に限定しようとするものであり、特許明細書２頁下から６行ないし５行及び図１ないし図５に記載されていたものである。したがって、この訂正は、特許請求の範囲の減縮を目的とするものであり、願書に添付した明細書又は図面に記載した事項の範囲内の訂正である。また、実質上特許請求の範囲を拡張し又は変更するものでもない。
　上記訂正事項ｂないしｚ及びａ′ないしｃ′は、特許請求の範囲の訂正に伴い、特許請求の範囲と、発明の詳細な説明、図面の簡単な説明及び図面との整合を図るものであるから、明りょうでない記載の釈明を目的とするものであり、願書に添付した明細書又は図面に記載した事項の範囲内の訂正であり、また、実質上特許請求の範囲を拡張し又は変更するものでもない。
　
(3)むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議申立てについての判断
(1)本件発明
　上記訂正が認められることから、本件の請求項１に係る発明は、訂正明細書の特許請求の範囲の請求項１に記載されたとおりのものであり、上記訂正事項ａに記載された事項よりなるものである。
　
(2)刊行物に記載された発明
　当審が通知した取消しの理由において引用した刊行物１〜４には、それぞれ次の事項が記載されている。
　刊行物１（実願平１−１００３５０号（実開平３−４１０４４号）のマイクロフィルム（甲第１号証））には、同１頁１５〜１７行、４頁３〜１４行及び５頁２〜７行によれば、スラブの上側に所定の間隔を保って床板２を施工することにより床下空間が形成され、壁際で床板２は根太１で支持され、壁際の床上に巾木６が設けられた衝撃音減衰構造において、巾木６に躯体壁面３と床板２との間に形成された間隙５と床上空間とを連通させる溝７を設け、上記間隙５は床下空間と連通している衝撃音減衰構造が記載されていると認められる。
　刊行物２（実公昭６１−１１３８０号公報（甲第２号証））には、１欄１１〜２０行、第１、２図によれば、床材の端部を際根太で支持することが記載されていると認められる。
　刊行物３（特開平５−１１８１１４号公報（甲第３号証））には、【００２５】、【００２６】、【００３３】及び【図１】に記載された第１実施例等によれば、壁面と際根太との間に防振材を介在することが記載されていると認められる。
　刊行物４（特開昭５７−３６２５０号公報（甲第５号証））には、３頁左上欄５行〜右上欄２行、第４図によれば、床材の端部を際根太で支持すること、及び、床材と壁から離間された際根太との間に防振材を介在することが記載されていると認められる。
　
(3)対比・判断
　本件発明と刊行物１記載の発明とを対比すると、刊行物１記載の発明の「スラブ」、「床板２」、「根太１」、「溝７」が本件発明の「床基盤」、「床材」、「際根太」、「第１空気連通路」に相当し、刊行物１記載の発明の間隙５は床下空間と連通しているから、刊行物１には本件発明の「第２空気連通路」が記載され、両者は、床基盤上から所定の間隔を設けて床材を施工することにより床下空間が形成され、壁際で床材は際根太で支持され、壁際の床上に巾木が設けられた床構造において、巾木に壁面と床材との間に形成された空隙と床上空間とを連通させる第１空気連通路を設け、上記空隙と床下空間との間にも第２空気連通路を設けた床構造である点で一致し、次の各点で相違する。
（相違点１）
　本件発明が、床材の端部を際根太で支持したのに対し、刊行物１記載の発明は、そのような構成を有しない点。
（相違点２）
　本件発明が、床材と壁から離間された際根太との間及び壁面と際根太との間に防振材を介在させているのに対し、刊行物１記載の発明は、そのような構成を有しない点。
（相違点３）
　本件発明が、第２空気連通路は壁面と際根太との間に介在された防振材の表裏を貫通する多数の貫通孔で形成されているのに対し、刊行物１記載の発明は、そのような構成を有しない点。
　
　上記相違点３を検討すると、刊行物２及び刊行物４には床材の端部を際根太で支持することが記載され、刊行物３には壁面と際根太との間に防振材を介在させたものが記載され、刊行物４には床材と壁から離間された際根太との間に防振材を介在させたものが記載されているが、刊行物２ないし４のいずれにも、相違点３の本願発明に係る構成である、第２空気連通路は壁面と際根太との間に介在された防振材の表裏を貫通する多数の貫通孔で形成されていることは記載されていない。
　したがって、本件発明は、相違点１及び２を検討するもでもなく、刊行物１ないし４記載の発明に基いて当業者が容易に発明をすることができない。
　なお、甲第４号証（特開平３−１７３４８号公報）には、壁際で床材は際根太で支持されることが記載されているが、前記刊行物と同様に、相違点３の本願発明に係る構成は記載されていないから、本件発明は、刊行物１ないし４記載の発明及び甲第４号証の発明に基いて当業者が容易に発明をすることができたものではない。
　
(4)むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年８月２６日（２００２．８．２６）
【訂正の要旨】
訂正の要旨
　特許請求の範囲の減縮を目的として、特許請求の範囲の請求項１を下記ａのとおりに訂正し、明りょうでない記載の釈明を目的として、下記ｂないしｚ及びａ′ないしｂ′のとおりに訂正する。
ａ．特許請求の範囲の請求項１を、次のとおり訂正する。
　「コンクリートスラブ等の床基盤上から所定の間隔を設けて床材を施工することにより床下空間が形成され、壁際で床材の端部は際根太で支持され、壁際の床上に巾木が設けられた床構造において、
　床材と壁から離間された際根太との
間及
　巾木に壁面と床材との間に形成された空隙と床上空間とを連通させる第１空気連通路を設け、
　上記空隙と床下空間との間にも第２空気連通路を設け
、
　
この第２空気連通路は壁面と際根太との間に介在された防振材の表裏を貫通する多数の貫通孔で形成されている
ｂ．明細書１頁１９行「図１８」を「図１７」と訂正する。
ｃ．同２頁８行「又は／」を削除する。
ｄ．同２頁１０行「設けた」を「設け、この第２空気連通路は壁面と際根太との間に介在された防振材の表裏を貫通する多数の貫通孔で形成された」と訂正する。
ｅ．同３頁７行「…（図６参照）。」の次に「また、防振材６にも図１と同様の第２空気連通路７が設けてある。」を挿入する。
ｆ．同３頁１０行「図２」を「図１及び図２」と訂正する。
ｇ．同３頁１７行「における」を「における防振材５に形成される」と訂正する。
ｈ．同３頁２１行「防振材６に」を「防振材６の表裏に貫通する丸孔の」と訂正する。
ｉ．同３頁２４行ないし２６行「【００１４】図９に示す防振材６は、第２空気連通路７を防振材５の個所に形成した場合の防振材６を示すものである。」を削除する。
ｊ．同３頁２７行「【００１５】を「【００１４】」と訂正する。
ｋ．同３頁２８行「図１０乃至図１２」を「図９乃至図１１」と訂正する。
ｌ．同４頁７行「【００１６】」を「【００１５】」と訂正する。
ｍ．同４頁８行「図１３乃至図１５」を「図１２乃至図１４」と訂正する。
ｎ．同４頁１２行「【００１７】」を「【００１６】」と訂正する。
ｏ．同４頁１３行「図１６」を「図１５」と訂正する。
ｐ．同４頁１４行「この実施例では、防振材５，６を両方使用する。」を削除する。
ｑ．同４頁１５行「【００１８】」を「【００１７】」と訂正する。
ｒ．同４頁１６行「図１７」を「図１６」と訂正する。
ｓ．同４頁１７行「図１８」を「図１７」と訂正する。
ｔ．同４頁２２行「【００１９】」を「【００１８】」と訂正する。
ｕ．同４頁２７行「【００２０】」を「【００１９】」と訂正する。
ｖ．同５頁１行「又は／」を削除する。
ｗ．同５頁３行「設けた」を「設け、この第２空気連通路は壁面と際根太との間に介在された防振材の表裏を貫通する多数の貫通孔で形成されている」と訂正する。
ｘ．同５頁下から６行ないし５行「【図９】貫通孔を形成していない防振材を示す斜視図。」を削除する。
ｙ．同５頁下から４行及び２行、６頁１行、３行、５行、７行、９行、１１行、１３行の「【図１０】」、「【図１１】」、「【図１２】」、「【図１３】」、「【図１４】」、「【図１５】」、「【図１６】」、「【図１７】」、「【図１８】」を夫々図番を１つずつ繰り上げて、「【図９】」、「【図１０】」、「【図１１】」、「【図１２】」、「【図１３】」、「【図１４】」、「【図１５】」、「【図１６】」、「【図１７】」に訂正する。
ｚ．同５頁最下行の「図１０」を「図９」と訂正する。
ａ′．同６頁２行の「図１０」を「図９」と訂正する。
ｂ′．「図９」を削除する。
ｃ′．「図１０」ないし「図１８」を、それぞれ「図９」ないし「図１７」と訂正する。
（５４）【発明の名称】
床構造
（５７）【特許請求の範囲】
　【請求項１】　コンクリートスラブ等の床基盤上から所定の間隔を設けて床材を施工することにより床下空間が形成され、壁際で床材の端部は際根太で支持され、壁際の床上に巾木が設けられた床構造において、
　床材と壁から離間された際根太との
間及
　巾木に壁面と床材との間に形成された空隙と床上空間とを連通させる第１空気連通路を設け、
　上記空隙と床下空間との間にも第２空気連通路を設け
、
　
この第２空気連通路は壁面と際根太との間に介在された防振材の表裏を貫通する多数の貫通孔で形成されている
【発明の詳細な説明】
　【０００１】
　【産業上の利用分野】
　この発明は、床構造、特に壁際の構造に工夫を施した床構造に関する。
　【０００２】
　【従来の技術】
　従来の床構造としては、図１
７
　【０００３】
　【発明が解決しようとする課題】
　従来の際根太２は壁１０と床基盤１１に固着され、巾木１００もムクのものが使用されていたので、床上の空気と床下空間１２の空気との流通が図られていなかった。そのため、床下空気の圧縮膨張により振動が増幅されてしまっていた。また、際根太２の個所に床衝撃音が加えられると、壁１０や床基盤１１に振動が伝達し、階下へ振動音が伝わるという不都合もあった。
　【０００４】
　そこで、この発明は、床下空気の圧縮膨張や際根太を介した音の伝播を防止し、防振及び防音を図った床構造を提供することを目的とする。
　【０００５】
　【課題を解決するための手段】
　上述の目的を達成するため、この発明は、床材と壁から離間された際根太との
間及
、この第２空気連通路は壁面と際根太との間に介在された防振材の表裏を貫通する多数の貫通孔で形成され
　【０００６】
　【作用】
　床下空間の空気は床上の空気と流通が図られることにより、床下空気の圧縮膨張は発生せず、振動の増幅は生じない。また、際根太に加えられた床衝撃音は防振材により緩衝され、壁に伝達することもなく、防音，防振効果が図れる。
　【０００７】
　【実施例】
　以下に、この発明の好適な実施例を図面を参照にして説明する。
　【０００８】
　図１に示す実施例では、コンクリートスラブ等の床基盤１１上から所定の間隔を設けて床材１を施工することにより、床下空間１２が形成され、壁１０の個所で床材１の端部は際根太２で支持されている。壁際の床材１の上には巾木３が設けてある。床材１と壁１０との間には空隙４が形成されている。また、壁１０と際根太２との間も離間されている。際根太２と床材１との間には防振材５を設けてある。また、壁１０と際根太２との間にも防振材６を設けてある。この防振材６には所定間隔をおいて床下空間１２と空隙４との間を連通させる第２空気連通路７となる貫通孔を設けてある。前記巾木３にも空隙４と床上空間とを連通させる第１空気連通路８を設けてある。際根太２は、長尺の角材２１を支持脚２２で支持したものを用い、この支持脚２２の下端にはゴム２３を取付けてあり、このゴム２３が床基盤１１に接地している。この支持脚２２は両端に互いに反対方向に刻設されたねじが形成してあり、角材２１の高さを調節できるようになっている。
　【０００９】
　図２に示す第２実施例では、第１空気連通路８をルーバー状に形成した例を示し、第２空気連通路７は角材２１上の防振材５を途中で所定の間隔を開けて複数設け、防振材５の間隔を開けた個所に形成したものである（図６参照）。
また、防振材６にも図１と同様の第２空気連通路７が設けてある。
　【００１０】
　図３に示す第３実施例では、巾木３に形成される第１空気連通路８を櫛形に形成した例を示すものであり、第２空気連通路７は、
図１及び
　【００１１】
　図４に示す第４実施例では、巾木３に形成される第１空気連通路８の形状を変えた例を示すものである。また、図５に示す第５実施例も巾木３に形成される第１空気連通路８の形状を変えた例を示すものである。
　【００１２】
　図６は、第２乃至第５実施例に示す実施例における
防振材５に形成される
　【００１３】
　図７は、第１実施例で示す防振材６
の表裏に貫通する丸孔の
　【００１
４
　また、防振材５の床材１と接触する部分には、図
９
１
　【００１
５
　図１
２
４
　【００１
６
　図１
５
。
　【００１
７
　図１
６
７
　【００１
８
　床材１は図示した支持脚２２と同様の高さ調整可能な支持脚で支持され、所定の大きさの床下地用パネルにこの支持脚が設けられ、これらパネルを敷き並べ、その上に捨張材を施工し、捨張材上に仕上材を貼付したものが好適に使用できる。
　【００１
９
　【発明の効果】
　以上説明したように、この発明によれば、床材と壁から離間された際根太との
間及
、この第２空気連通路は壁面と際根太との間に介在された防振材の表裏を貫通する多数の貫通孔で形成されている
【図面の簡単な説明】
　【図１】
　この発明の第１実施例を示す斜視図。
　【図２】
　第２実施例を示す斜視図。
　【図３】
　第３実施例を示す斜視図。
　【図４】
　第４実施例を示す斜視図。
　【図５】
　第５実施例を示す斜視図。
　【図６】
　際根太上に第２空気連通路を形成した例を示す斜視図。
　【図７】
　第１空気連通路を形成した防振材の斜視図。
　【図８】
　第２空気連通路を形成した防振材の他の例を示す斜視図。
　【図
９
　際根太上に設けられる突起付きの防振材の正面図。
　【図１
０
　図
９
　【図１
１
　図
９
　【図１
２
　防振材の平面図。
　【図１
３
　防振材の他の例を示す平面図。
　【図１
４
　防振材の別の例を示す平面図。
　【図１
５
　第６実施例を示す断面図。
　【図１
６
　床衝撃音の比較グラフ。
　【図１
７
　従来例を示す斜視図。
　【符号の説明】
　１　床材
　２　際根太
　３　巾木
　４　空隙
　５，６　防振材
　７　第２空気連通路
　８　第１空気連通路
　１０　壁
　１１　床基盤
　１２　床下空間
【図面】